(57)【要約】  本発明は、医療装置（２０）内のアクチュエータ（２２）を動作させる方法に関し、アクチュエータ（２２）はチューブシステムに接続される。医療装置（２０）は、ガス圧力を調整するための圧力調整器（３５）を備えた制御装置（２８）と、計算システム（３０）とを有する。この方法は、：チューブシステムに鼻カニューレを設けるステップと、圧力調整器（３５）に鼻最終ガス圧力を設定するステップと、圧力調整器（３５）を用いて、特に鼻最終ガス圧力に向かって、アクチュエータ（２２）の鼻ガス圧力を調整するステップと、調整されたガスをアクチュエータ（２２）からチューブシステムに放出するステップとを含む。本発明はまた、アクチュエータ（２２）を動作させるための装置に関する。
2021534945.tif 000002
【特許請求の範囲】
【請求項１】
医療装置（２０；１２０）内のアクチュエータ（２２；１２２）を動作させる方法であって、前記アクチュエータ（２２；１２２）はチューブシステム（１７）に接続され、前記医療装置は、ガス圧力を調整するための圧力調整器（３５；１３５）を有する制御装置（２８；１２８）と、計算システム（３０）とを有し、この方法は、
ａ）前記チューブシステム（１７）に鼻カニューレ（１６）を設けるステップと、
ｂ）前記圧力調整器（３５；１３５）に鼻最終ガス圧力（ＰnSet）を設定するステップと、
ｃ）前記圧力調整器（３５；１３５）を用いて、特に鼻最終ガス圧力（ＰnSet）に向かって、前記アクチュエータ（２２；１２２）の鼻ガス圧力（Ｐnasal）を調整するステップと、
ｄ）調整されたガスを前記アクチュエータ（２２；１２２）から前記チューブシステム（１７）に放出するステップと、
を含むことを特徴とする、方法。
【請求項２】
前記圧力調整器（３５；１３５）は、少なくとも１つの鼻圧力測定値（Ｐmes）に基づいて、または少なくとも１つの圧力近似値（Ｐn）に基づいて行われ、特に、チューブシステム（１７）内の鼻ガス流量（Ｆnasal）の変化が行われ、これは、好ましくは、鼻最終ガス圧力（ＰnSet）が圧力調整器（３５；１３５）に設定される前に行われることを特徴とする、請求項１に記載の方法。
【請求項３】
前記少なくとも１つの圧力近似値（Ｐn）は、少なくとも１つの内部圧力測定値（Ｐint）と、チューブシステム（１７）における少なくとも１つの差圧近似値（ｄＰsch）とに基づいて計算されることを特徴とする、請求項２に記載の方法。
【請求項４】
前記チューブシステム（１７）における前記少なくとも１つの差圧近似値（ｄＰsch）は、内部ガス流量（Ｆint）に基づいて計算され、前記少なくとも１つの差圧近似値（ｄＰsch）は、特に数学関数を用いて計算され、または、計算システム（３０）内のテーブル（３３）から呼び出され、または、特に少なくとも１つの鼻圧力測定値（Ｐmes）を用いて計算されることを特徴とする、請求項３に記載の方法。
【請求項５】
前記チューブシステム（１７）によって最小ガス流量（Ｆmin）が決定または調節され、前記計算システム（３０）における最小ガス流量（Ｆmin）は、好ましくは、式
【数１】
2021534945.tif 000013
を用いて計算され、ここで、Ｖdは、特に患者の理想体重およびＲａｄｆｏｒｄ定数を用いて計算されるデッドスペースであり、ｋは、０．０５〜２、好ましくは０．３３の係数であり、Ｔeは、呼気時間であることを特徴とする、請求項１〜４のいずれか１項に記載の方法。
【請求項６】
前記チューブシステム（１７）によって平均最大ガス流量（Ｆmax）が提供され、前記平均最大ガス流量（Ｆmax）が好ましくは１０〜２００リットル／分の値に設定され、好ましくは１００リットル／分の値に設定されることを特徴とする、請求項１〜５のいずれか１項に記載の方法。
【請求項７】
鼻ガス流量（Ｆnasal）が調整され、鼻ガス流量（Ｆnasal）は、好ましくは、前記鼻ガス圧力（Ｐnasal）の内側カスケードとして調整されることを特徴とする請求項１〜６のいずれか１項に記載の方法。
【請求項８】
前記鼻最終ガス圧力（ＰnSet）の設定（ステップｂ）が自動的に行われ、これは特に血液ガス測定値、好ましくは二酸化炭素値または酸素飽和値または最小ガス流量（Ｆmin）に基づいて調整されることを特徴とする、請求項１〜７のいずれか１項に記載の方法。
【請求項９】
鼻流療法適用を実行するための装置であって、
アクチュエータ（２２；１２２）と、
チューブシステム（１７）をアクチュエータ（２２；１２２）に接続するためのチューブシステム接続部（２３）と、
少なくとも１つの圧力測定センサ（３８）から測定信号を送る少なくとも１つの測定変換器（３９）と
を備える装置において、
鼻ガス圧力（Ｐnasal）を調整するための圧力調整器（３５；１３５）を備えた制御装置（２８；１２８）が存在することを特徴とする、装置。
【請求項１０】
計算システム（３０）が存在し、
前記アクチュエータ（２２；１２２）は前記計算システム（３０）に接続され、前記計算システム（３０）は好ましくは記憶ユニット（３２）を有し、
前記計算システム（３０）は、少なくとも１つの内部圧力測定値（Ｐint）に基づいて、かつ、前記チューブシステム（１７）における少なくとも１つの差圧近似値（ｄＰsch）に基づいて、少なくとも１つの圧力近似値（Ｐn）を計算するように構成され、
好ましくは、前記圧力調整器（３５；１３５）は、前記少なくとも１つの圧力近似値（Ｐn）に基づいて、前記チューブシステム（１７）に係る鼻ガス圧力（Ｐnasal）を調整するように構成されることを特徴とする、請求項９に記載の装置。
【請求項１１】
少なくとも１つの鼻圧力測定値（Ｐmes）を検出するための圧力測定装置（１６０）があり、
前記圧力調整器（３５；１３５）は、少なくとも１つの鼻圧力測定値（Ｐmes）に基づいて、
チューブシステム（１７）に係る鼻ガス圧力（Ｐnasal）を調整し、
好ましくは、内部ガス流量（Ｆint）を測定するための流量測定センサ（４１）が、医療装置（２０；１２０）に存在することを特徴とする、請求項９または１０に記載の装置。
【請求項１２】
加湿器（１９）が存在し、前記加湿器（１９）は、特に前記チューブシステム（１７）に配置され、および／または、
調整されたガスの温度を制御するための温度制御システムが存在することを特徴とする、請求項９〜１１のいずれか１項に記載の装置。
【請求項１３】
鼻ガス流量（Ｆnasal）を調整するための流量調整器（４０；１４０）が存在し、
特にカスケード式調整構造（３６；１３６）が存在し、
鼻ガス圧力（Ｐnasal）を調整するための圧力調整器（３５；１３５）が外側カスケードを形成し、
鼻ガス流量（Ｆnasal）を調整するための流量調整器（４０；１４０）が内側カスケードを形成することを特徴とする、請求項９〜１２のいずれか１項に記載の装置。
【請求項１４】
酸素計量装置があり、
好ましくは入出力装置（４５；１４５）が存在し、
前記入出力装置（４５；１４５）は、特に表示ユニット（４６）を有し、また、好ましくはタッチスクリーン（４７）であることを特徴とする、請求項９〜１３のいずれか１項に記載の装置。
【請求項１５】
血液ガスを測定するための、好ましくは二酸化炭素を測定するための、および／または、酸素を測定するための、測定装置があることを特徴とする、請求項９〜１４のいずれか１項に記載の装置。
【発明の詳細な説明】
【技術分野】
【０００１】
本発明は、請求項１に記載の医療装置におけるアクチュエータを動作させるための方法、および請求項９のプリアンブルに記載のこのための装置に関する。
【背景技術】
【０００２】
鼻流療法または高流量酸素療法（ＨＦＯＴ）は、特に患者に圧縮空気および加湿と共に酸素を供給する病院で使用するための呼吸療法である。流量は、従来の酸素療法よりも高い。
【０００３】
高流量酸素療法は、通常、臨床状況において急性呼吸不全（例えば、低酸素血症、呼吸不全）に罹患している患者に使用される。これらの患者は、通常、集中治療室または監視ユニットにいて、それを安定させ、血液ガスを監視するために呼吸補助を必要とする。
【０００４】
国際公開第２０１５／１５５３４２Ａ１は、ガス供給部、加湿器、ネブライザ、外部鼻インターフェース、およびエアロゾル供給ラインとガス供給ラインとを有する高流量酸素治療システムを示す。エアロゾル供給ラインおよびガス供給ラインは、弁によって制御され、システム内のエアロゾル流量およびガス流量を調節する流量調整器が存在する。
【０００５】
現在、ＭＥＫ−ＩＣＳ  ＣＯ．，ＬＴＤ．（ｗｗｗ．ｍｅｋ−ｉｃｓ．ｃｏｍ）からのＨＦＴ５００装置のような、高流量酸素療法の使用を可能にする医療装置が市販されている。そのような医療装置は、アクチュエータと、チューブシステムをアクチュエータに接続するためのチューブシステム接続部とを備える。チューブシステムは、通常、鼻カニューレを含む。
【０００６】
公知の解決策の欠点は、そのような医療装置がガス流量に関して設定され、調整されることである。一定のガス流量は、呼吸の仕事を増加させ、これは、次に、患者の疲労またはストレスにつながる。
【０００７】
米国特許出願公開第２０１２／００９０６１０Ａ１は、睡眠障害（ＳＤＢ）を治療するためのマスクシステムの気流特性を決定するためのＣＰＡＰ装置および方法を開示し、それを用いて、異なるマスクシステムを特徴付けることができる。マスクシステムとして、空気供給チューブおよび患者接続装置または患者インターフェースが、ディフューザと共に示されている。ＣＰＡＰ装置は、マスクシステムに接続されて、制御可能な送風機、流量センサ、および圧力センサ、ならびにプロセッサを有する、流量発生器を有する。プロセッサは、ディフューザの出口における空気流特性を決定するように構成される。類似の汎用タイプの装置は、国際公開第２０１１／０５４０３８Ａ１、米国特許出願公開第２０１６／２８７８２４Ａ１、国際公開第２０１７／１０９６３４Ａ１および米国特許出願公開第２０１８／０３６４９９Ａ１に開示されている。
【０００８】
上述の解決策の欠点は、そこに記載された装置が、異なるマスクシステムの鼻ガス圧力を調整するのに適した圧力調整器を有しておらず、その結果、装置内のガス消費量が不釣り合いに高くなることである。
【先行技術文献】
【特許文献】
【０００９】
【特許文献１】国際公開第２０１５／１５５３４２号
【特許文献２】米国特許出願公開第２０１２／００９０６１０号明細書
【特許文献３】国際公開第２０１１／０５４０３８号
【特許文献４】米国特許出願公開第２０１６／２８７８２４号明細書
【特許文献５】国際公開第２０１７／１０９６３４号
【特許文献６】米国特許出願公開第２０１８／０３６４９９号明細書
【発明の概要】
【発明が解決しようとする課題】
【００１０】
本発明の目的は、従来技術の１つ以上の欠点を少なくとも部分的に排除することである。特に、医療装置内のガス消費を低減する、医療装置内のアクチュエータを動作させるための方法およびそのための装置が作成されるべきである。
【課題を解決するための手段】
【００１１】
この目的は、独立請求項に記載の方法および装置によって達成される。有利な展開は、図面および従属請求項に記載されている。
【００１２】
本発明は、医療装置内のアクチュエータを動作させる方法に関し、アクチュエータはチューブシステムに接続され、医療装置は、ガス圧力を調整するための圧力調整器を有する制御装置と、計算システムとを有し、この方法は、
チューブシステムに鼻カニューレを設けるステップ（ステップａ））と、
圧力調整器に鼻最終ガス圧力を設定するステップ（ステップｂ））と、
圧力調整器を用いて、特に鼻最終ガス圧力に向かって、アクチュエータの鼻ガス圧力を調整するステップ（ステップｃ））と、
調整されたガスをアクチュエータからチューブシステムに放出するステップ（ステップｄ）と、
を含む。
【００１３】
この方法は、特に、患者に鼻流療法適用または高流量酸素治療を実施する前に実施され、ここで、患者は、その後の鼻流療法適用中の圧力調整のために、自分自身の呼吸作業を少なくする必要がある。圧力調整は、指定された一定の最終ガス圧力に調整する。この用途では、ガスまたは呼吸ガスの必要とされるピーク流量をカバーすることができ、医療装置において、適用される酸素濃度を変化させずに、より低いガス消費を達成することができる。鼻ガス圧力は、チューブシステムに係るガス圧力である。調整されたガスは、アクチュエータによって予め決定されたガス圧力およびガス流量を有する。チューブシステムは、通常、チューブおよび鼻カニューレを備える。
【００１４】
医療装置は、有利には、人工呼吸器であり、アクチュエータ上の圧力調整器を用いて、患者の肺圧は、より良好に調整可能であるか、または設定可能である。本発明による方法では、患者は、適応性のあるガス流量のために、増加した快適性を経験する。
【００１５】
圧力調整は、好ましくは、少なくとも１つの鼻圧力測定値に基づいて、または少なくとも１つの圧力近似値に基づいて行われる。少なくとも１つの鼻圧力測定値を有する圧力調整器の場合、ここに記載される方法は、調整ステップなしで実施することができる。医療装置は、チューブシステムの変化に自動的に適応する。少なくとも１つの圧力近似値に基づく圧力調整の場合、鼻圧測定を省略することができ、これは、チューブシステムをより費用効果的に製造することができ、医療装置に、異なるチューブシステムまたはチューブシステム付属品を備えて、またそれによって、より汎用的に操作することができる。
【００１６】
特に好ましくは、チューブシステム内の鼻ガス流量が変化する。このようにして、少なくとも１つの圧力近似値は、異なる鼻ガス流量について決定され得、鼻カニューレは、典型的には、患者に接続されない。例えば、鼻ガス流量の変化は直線的に起こり、その結果、少なくとも１つの圧力近似値を容易に決定することができる。鼻ガス流量は、チューブシステム内のガス流量である。
【００１７】
鼻ガス流量は、好ましくは、０リットル／分〜１００リットル／分で変化する。鼻ガス流量は、高いガス流量値から低いガス流量値に、またはその逆に、低いガス流量値から高いガス流量値に変化することができる。このようにして、多数の圧力近似値を決定することができ、これは、アクチュエータに対する特に正確な圧力調整のための基礎として役立つことができる。
【００１８】
特に、鼻ガス流量の変化は、所定の時間間隔で、例えば１０秒以内に起こる。したがって、少なくとも１つの圧力近似値は、再現可能な方法で決定することができる。
【００１９】
チューブシステム内の鼻ガス流量の変化は、好ましくは、鼻最終ガス圧力が圧力調整器に指定される前に実行される（ステップｂ））。このようにして、医療装置は、患者に使用する前に、装置とチューブシステムの構成について調整することができ、その結果、過剰なガス圧力が回避され、その後、患者の安全性の向上が保証される。
【００２０】
少なくとも１つの圧力近似値は、好ましくは、少なくとも１つの内部圧力測定値と、チューブシステムにおける少なくとも１つの差圧近似値とに基づいて計算される。少なくとも１つの内部圧力測定値は、チューブシステム接続部の領域に配置された医療装置内の圧力測定センサによって決定することができる。これは、チューブシステムに外部圧力測定センサが必要とされないことを意味する。
【００２１】
チューブシステムにおける少なくとも１つの差圧近似値は、好ましくは、内部ガス流量に基づいて計算される。内部ガス流量は、医療装置内に配置された流量測定センサを用いて測定されるか、または、差圧に基づく適切な流量測定方法を介して間接的に決定される。このようにして、少なくとも１つの圧力近似値は、正確に１つの圧力測定センサおよび正確に１つの流量測定センサを用いた簡単な測定設定を用いて正確に決定することができ、それによって医療装置内のガス消費が正確に決定され、その結果、過剰なガス消費が防止される。
【００２２】
特に、少なくとも１つの差圧近似値は、数学的関数を用いて計算され、その結果として、少なくとも１つの差圧近似値は、調整ステップにおいて確実に決定され得る。例えば、数学関数は、多項式関数または二次関数であり、例えば、最小二乗法で解かれる。したがって、少なくとも１つの圧力近似値は、特に簡単な方法で決定される。
【００２３】
少なくとも１つの差圧近似値は、好ましくは、計算システム内のテーブルから呼び出される。少なくとも１つの差圧近似値は、医療装置の製造業者によって提供または事前構成されてもよく、または、調整ステップ中に計算システムのテーブルに格納されてもよい。差圧近似値は、それぞれの内部ガス流量値に割り当てられ、その結果、差圧近似値上の測定されたガス流量値から結論を引き出すことができる。
【００２４】
特に、少なくとも１つの差圧近似値は、少なくとも１つの鼻圧力測定値を用いて決定される。このようにして、少なくとも１つの差圧近似値はまた、医療装置が使用されている間に決定され得、これは、患者の安全性を増加させる。少なくとも１つの内部圧力測定値は、少なくとも１つの鼻圧力測定値で補足され、そこから少なくとも１つの圧力近似値が決定される。鼻圧測定は、例えば鼻カニューレがチューブシステム上で交換された後に、チューブシステムの変化を自動的に検出するために使用される。
【００２５】
好ましくは、チューブシステムを通る最小ガス流量が決定される。最小ガス流量を適用することによって、呼吸ガスの二酸化炭素洗浄を確実にすることができる。最小ガス流量は、患者の身体サイズまたは理想的な体重および／または性別に基づいてユーザによって医療装置に容易に入力され得、または、確立された理論を用いて、例えばＯＴＩＳらに基づいて、決定され得る。
【００２６】
好ましくは、計算システム内の最小ガス流量は、式
【数１】
2021534945.tif 000003
で計算され、ここで、Ｖdはデッドスペースであり、ｋは０．０５〜２の係数であり、Ｔeは呼気時間である。したがって、医療装置のユーザの助けを借りることなく最小ガス流量を設定することができ、これによりユーザを解放することができる。
【００２７】
特に、デッドスペースＶdは、患者の理想的な体重およびＲａｄｆｏｒｄ定数を用いて計算され、Ｒａｄｆｏｒｄ定数は、典型的には２．２ｍｌ／ｋｇである。このようにして、デッドスペースＶdは、大多数の用途に対して容易に決定することができる。
【００２８】
好ましくは、係数ｋ＝０．３３は、最小ガス流量を計算するために使用され、それによって、最小ガス流量を容易に計算することができ、特に高い患者の安全性が保証される。
【００２９】
特に、Ｔeは、計算システムで計算された呼気時間である。これにより、最小ガス流量を患者の現在の呼吸活動に適合させることができる。
【００３０】
代替的に、最小ガス流量は、内部ガス流量とチューブシステム内の漏れ流量とに基づいて決定される流量近似値を用いて決定される。漏れ流量は、典型的には、鼻ガス圧力を使用して計算することができる。
【００３１】
デッドスペースＶdは、流量近似値から導出された推定値に基づいて、例えば、分時容積Ｍv、呼吸頻度ｆ、呼気時定数ＲＣに基づいて推定され、その結果、デッドスペースＶdは、医療装置の計算システムにおいて自動的に決定される。例えば、デッドスペースＶdは、式
【数２】
2021534945.tif 000004
を用いて決定される。次に、上述したように、このデッドスペースＶdを用いて最小ガス流量を計算することができる。ユーザは、医療装置上でいかなる設定も行う必要はない。アルゴリズムは、二酸化炭素洗浄が常に最適範囲にあることを確実にする。
【００３２】
最小ガス流量は、好ましくは、０〜１００リットル／分の値に設定される。これは、最小ガス流量を患者に適した値に制限できることを意味する。
【００３３】
予め計算された最小ガス流量は好ましくは制限され、有効な内部最大ガス流量が出発点として使用される。チューブシステム内のガスの有効な内部最大ガス流量は、例えば、医療装置内の内部流量測定センサを用いて所定の期間ガス流量を測定することによって、医療装置内で決定することができる。この時間は、典型的には１０秒〜６０秒の範囲、特に２５秒〜４５秒の範囲、特に３６秒である。内部ガス流量をさらに制限することによって、状況に応じたガスの二酸化炭素洗浄が保証される。
【００３４】
特に、計算された最小ガス流量は、有効な内部最大ガス流量の０．８倍の上限で制限され、有効な内部最大ガス流量の０．２倍の下限で制限される。これにより、患者の安全性がさらに向上する。
【００３５】
好ましくは、チューブシステムによって平均最大ガス流量が提供される。この場合、ガス流量は、時折最大値を超えるが、平均して平均最大ガス流量未満のままであることが許容され、最大値は、制限として理解される。この制限は、チューブシステム内に供給されるガスの十分な加湿を保証する。
【００３６】
平均最大ガス流量は、好ましくは、１０リットル／分〜２００リットル／分の値に設定される。これにより、十分に加湿されたガスの患者への供給を確実にすることができる。
【００３７】
平均最大ガス流量は、特に好ましくは６０リットル／分の値に設定される。これは、十分に加湿されたガスが、大部分の用途のために提供されることを意味し、その結果、ユーザは、医療装置上のこのパラメータ設定に明示的に関心を持つ必要がない。
【００３８】
特に、平均最大ガス流量は、ガス湿度測定値に基づいて調整される。決定されたガス湿度測定値に基づいて、医療装置内の流量調整器によって、平均最大ガス流量が調整される。これは、最適に加湿されたガスをチューブシステムに供給できることを意味する。例えば、医療装置は、加湿器に接続されるか、またはそれ自体が加湿器を含む。
【００３９】
代替的に、平均最大ガス流量は、ガス中の酸素濃度に基づいて決定される。酸素濃度は、典型的には、測定または決定される。これは、高い平均酸素流量を妨げる。
【００４０】
鼻ガス流量は、好ましくは、最小ガス流量ないし平均最大ガス流量の範囲内に常にあるように調整され、したがって、患者における二酸化炭素洗浄、ガスの加湿、および、酸素消費が過度に高くなることを確実にする。
【００４１】
鼻ガス流量は、好ましくは、鼻ガス圧力の内側カスケードとして調整され、それによって、必要とされる最小ガス流量ないし必要とされる平均最大ガス流量の鼻ガス流量を確実にするカスケード式調整構造が使用される。
【００４２】
好ましくは、鼻最終ガス圧力（ステップｂ））は、自動的に指定され、その結果、医療装置のユーザが手でこのパラメータ設定を設定する必要がなく、したがって患者の安全性が向上する。医療装置の計算システムにおける調整アルゴリズムは、鼻最終ガス圧力の指定を引き継ぐ。
【００４３】
好ましくは、医療装置内で測定される最小内部ガス流量および最小ガス流量のゼロ調整は、調整アルゴリズム内で行われ、鼻最終ガス圧力に向かって鼻ガス圧力を調整する。言い換えれば、調整アルゴリズムは、測定された最小の内部ガス流量が、医療装置または医療装置のオペレータによって指定される、達成されるべき最小ガス流量よりも小さい場合、鼻ガス圧力を増加させる。あるいは、調整アルゴリズムは、測定された最小の内部ガス流量が、医療装置または医療装置のオペレータによって指定される、達成されるべき最小ガス流量よりも高い場合、鼻ガス圧力を低下させ、内側カスケード式流量調整は、最小ガス流量を制限しない。このようにして、医療装置は、常に最適な鼻最終ガス圧力を調整する。
【００４４】
医療装置内のガスの最小の内部ガス流量は、医療装置内の内部流量測定センサを用いてこのガス流量を特定の期間測定することによって決定することができる。この時間は、典型的には０．５秒〜５０秒の範囲、特に２秒〜３０秒の範囲である。
【００４５】
鼻最終ガス圧力は、好ましくは、血液ガス値に基づいて調整される。例えば、血液ガス値を予め測定しておく。測定された血液ガス値のレベルに応じて、鼻最終ガス圧力は増加または減少される。これにより、鼻最終ガス圧力を個々の患者毎に設定することができる。
【００４６】
特に、血液ガス値は、二酸化炭素値、例えば、経皮二酸化炭素値または動脈二酸化炭素分圧値、または酸素飽和値、例えば、血液酸素飽和値である。これは、共通の血液ガス値を使用して鼻最終ガス圧力を調整することができることを意味する。
【００４７】
鼻最終ガス圧力は、好ましくは、ガス消費が低く保たれるように、０．１ｍｂａｒ〜２０ｍｂａｒの値に制限される。
【００４８】
制御装置は、好ましくは、予め決定された鼻ガス流量に基づいて、アクチュエータのための適切な制御コマンドを生成し、その結果、アクチュエータは、調整されたガスを、対応してチューブシステムに送出する。これは、医療装置におけるガス消費を最適化する。制御コマンドは、電圧値、回転数値、または電流値の網羅的なリストではなく、これらに基づいて指定される。
【００４９】
代替的にまたは追加的に、制御装置は、予め決定された鼻ガス圧力に基づいて、アクチュエータのための適切な制御コマンドを生成し、その結果、アクチュエータは、調整されたガスを、対応してチューブシステムに送出する。これは、医療装置内のガス消費を最適化するだけでなく、患者のより高い快適性を確実にする。
【００５０】
本発明の別の態様は、アクチュエータと、チューブシステムをアクチュエータに接続するためのチューブシステム接続部と、少なくとも１つの圧力測定センサから測定信号を送る少なくとも１つの測定変換器とを備える、鼻流療法適用を実行するための装置に関する。また、鼻ガス圧力を調整するための圧力調整器を有する制御装置がある。
【００５１】
装置、例えば医療装置における圧力調整器により、患者は、鼻流療法の適用中に自分自身の呼吸作業を少なくすることができる。圧力調整器は、一定のガス圧力に調整されるように構成される。適用の場合、必要とされるガスまたは呼吸ガスのピーク流量をカバーすることができ、医療装置において、より低いガス消費を達成し、その場合に、適用される酸素濃度を変化させないようにすることができる。
【００５２】
典型的には、ここに記載されたアクチュエータは、ガスを調整するための少なくとも１つのファンを備え、その結果、医療装置を個人の家庭で使用することができる。
【００５３】
代替的にまたは追加的に、ここに記載されるアクチュエータは、ガスを調整するための弁を備えた少なくとも１つのガス源を含む。これは、病院内の既存のインフラを使用できることを意味する。代替的に、弁を有する送風機およびガス源を使用する場合、病院内の既存のインフラは、医療装置のサポートとして機能することができる。さらに、医療装置において、異なる酸素濃度を直接設定することができる。
【００５４】
好ましくは、計算システムがあり、アクチュエータは計算システムに接続され、計算システムは、少なくとも１つの内部圧力測定値に基づいて、かつ、チューブシステムにおける少なくとも１つの差圧近似値に基づいて、少なくとも１つの圧力近似値を計算するように構成される。少なくとも１つの内部圧力測定値は、チューブシステム接続部の領域に配置された医療装置内の圧力測定センサによって決定することができる。したがって、チューブシステム上に追加の圧力測定センサを設ける必要がない。典型的には、装置内に、好ましくは計算システムとアクチュエータとの間にデジタル−アナログ測定変換器が配置され、デジタル−アナログ測定変換器は、計算システム内で計算された値をアクチュエータに対する制御コマンドに変換する。
【００５５】
特に、計算システムは、ここで説明する方法を実行するように構成された計算アルゴリズムを有する。したがって、ここで説明する方法は、完全に自動的に実行することができる。
【００５６】
計算システムは、好ましくは、記憶ユニットを有する。したがって、少なくとも１つの内部測定圧力値または少なくとも１つの差圧近似値など、圧力調整のために使用することができる値を、必要なときに容易に呼び出すことができるように、記憶ユニットに格納することができる。
【００５７】
好ましくは、圧力調整器は、少なくとも１つの圧力近似値に基づいて、鼻ガス圧力を調整するように構成される。少なくとも１つの圧力近似値に基づく圧力調整の場合、鼻圧測定を省略することができ、これは、鼻カニューレをより費用効果的に製造することができ、医療装置に、異なるチューブシステムまたはチューブシステム付属品を備えて、またそれによって、より汎用的に操作することができる。
【００５８】
好ましくは、少なくとも１つの鼻圧力測定値を検出するための圧力測定装置があり、圧力調整器は、少なくとも１つの鼻圧力測定値に基づいて、チューブシステムに係る鼻ガス圧力を調整する。鼻圧測定は、チューブシステムの変化（例えば、チューブシステム上の鼻カニューレ交換）を自動的に検出するために使用され、その結果、調整ステップを省略することができる。
【００５９】
好ましくは、内部ガス流量を測定するための流量測定センサが、医療装置内にある。流量測定センサは、好ましくは、アクチュエータによって放出された内部ガス流量を測定し、その結果、ガス消費を最適化することができ、二酸化炭素洗浄を確実にすることができる。
【００６０】
好ましくは、加湿器があり、加湿器は、好ましくは、チューブシステムに配置される。加湿高流量酸素療法は、ＣＯＰＤ、気管支拡張症、末期がんの患者、および、挿管できず、最適に加湿されたガスを必要とする患者に、うまく使用される。
【００６１】
特に、加湿器は、ガスの温度を調節するように設計される。したがって、ガス中の加湿をさらに最適化することができる。
【００６２】
好ましくは、調整されたガスの温度を制御するための温度制御システムがあり、それによって、加湿された空気の凝縮が防止され、したがって、患者に到達する水蒸気の分圧が増加される。
【００６３】
好ましくは、調整されたガスの温度を制御するための温度制御システムは、チューブシステム内に配置され、それによって、温度制御は、チューブシステムに適合され、最適に温度制御されたガスが提供される。
【００６４】
代替的に、加湿器および温度制御システムが利用可能であり、それによって、最適に調整されたガスが提供される。加湿器および温度制御システムは、好ましくは、１つのシステムに組み合わされる。
【００６５】
代替的に、加湿器および／または温度制御システムは、装置内に配置される。装置に組み込まれた加湿器は、装置が安価に製造されることができ、ユーザが追加の装置を必要としないように、装置パラメータの大きさが決められる。
【００６６】
好ましくは、鼻ガス流量を調整するための流量調整器が存在する。圧力を調整することに加えて、これはまた、ガス消費、二酸化炭素洗浄および加湿を確実にする流量を調整する。
【００６７】
特に、カスケード式調整構造が存在し、鼻ガス圧力を調整するための圧力調整器が外側カスケードを形成し、鼻ガス流量を調整するための流量調整器が内側カスケードを形成する。これは、チューブシステムを通るここで説明する最小ガス流量を下回ることができないこと、あるいは、チューブシステムを通るここで説明する平均最大ガス流量を超えることができないことを意味し、これは、ガスの二酸化炭素分洗浄、ガスの適切な加湿、および最適なガス消費を確実にする。
【００６８】
好ましくは酸素計量装置が存在し、その結果、酸素濃度を装置に設定することができる。
【００６９】
好ましくは、装置のユーザが、手で、鼻最終ガス圧力および／または酸素濃度などの設定を指定することができるように、またはそこに入力することができるように、入力装置が存在する。
【００７０】
特に、入力装置は表示ユニットを有する。典型的には、ユーザによって指定された設定が表示され、その結果、ユーザは、装置上の設定を容易に視覚的にチェックすることができる。
【００７１】
好ましくは、入力装置は、操作が容易であり、特にコンパクトな入力装置を有する、タッチスクリーンである。
【００７２】
好ましくは、入力装置は、自動圧力調整または一定圧力調整のいずれかを選択するための少なくとも１つの切り替え装置を有する。自動圧力調整では、ユーザは、鼻最終ガス圧力を自分で設定することはできないが、医療装置は、最適な鼻最終ガス圧力を自動的に計算する。切り替え装置は、タッチスクリーンに一体化されている。これにより、医療装置のオペレータ入力を容易に入力することができる。代替的に、切り替え装置は機械的スイッチとして設計される。これは、オペレータが、例えば、ある距離から機械的スイッチの位置を見ることができることを意味する。
【００７３】
好ましくは、血液ガスを測定するための測定装置が存在する。抽出された血液ガス測定値に基づいて、鼻最終ガス圧力を自動的に調整することができる。
【００７４】
好ましくは、二酸化炭素測定装置がある。二酸化炭素測定値は、一方では、十分に高いガス圧力および十分に高いガス流量が提供されるように、圧力調整において考慮される。
【００７５】
代替的にまたは追加的に、酸素計量装置がある。酸素計量装置は、装置に接続されるか、または装置に組み込まれる。酸素測定値は、十分な量の酸素が提供されるように考慮される。
【００７６】
ここに記載される方法は、好ましくは、アクチュエータを動作させるための、コンピュータにより実行される方法である。医療装置内の制御装置および計算システムは、ここで説明する方法が自動的に実行されるように構成される。これにより、製造コストが低減される。
【００７７】
ここに開示される、コンピュータにより実行される方法は、記憶媒体に記憶されることが好ましい。一方では、記憶媒体は、装置に統合されてもよく、またはモバイル記憶媒体であってもよい。モバイル記憶媒体は、ここに開示された方法が異なる位置で使用されることができるように、異なる装置に任意に接続することができる。
【００７８】
特に、アクチュエータに対する制御コマンドは、記憶媒体に記憶される。記憶媒体は、直ちに呼び出すことができるように医療装置に挿入され、アクチュエータは、これらの制御コマンドで駆動される。
【００７９】
本発明のさらなる利点、特徴、および詳細は、本発明の例示的な実施形態が図面を参照して説明される以下の説明から明らかになる。
【００８０】
特許請求の範囲および図面の技術的内容と同様に、参照符号のリストは、本開示の一部である。図は、一貫性のある包括的な方法で説明される。同一の参照符号は同一の構成要素を示し、異なる符号を有する参照符号は、機能的に同一または類似の構成要素を示す。
【図面の簡単な説明】
【００８１】
【図１】鼻流療法適用を実施するためのシステムを示す。
【図２】鼻流療法適用を実施するための本発明による装置の第１の実施形態を示す。
【図３】鼻流療法適用を実施するための本発明による装置のさらなる実施形態を示す。
【図４】圧力測定装置を用いない本発明による方法の第１の実施形態のフローチャートを示す。
【図５】圧力測定装置を用いる本発明による方法のさらなる実施形態のフローチャートを示す。
【発明を実施するための形態】
【００８２】
図１は、患者に鼻流療法を実施するためのシステム１５を示す。システム１５は、チューブシステム１７と、アクチュエータ２２を有する医療装置２０とを備える。チューブシステム１７は、チューブ１８と鼻カニューレ１６とを備え、医療装置２０のアクチュエータ２２に接続されている。チューブ１８に沿って加湿器１９が配置されている。アクチュエータ２２は、チューブシステム１７または鼻カニューレ１６に調整ガスを提供し、そのガスは、チューブシステム１７または鼻カニューレ１６を通して、環境または患者に放出される。その際、ガスの組成に応じて、呼吸を補助するために患者に投与される例えば呼吸ガスが重要である。
【００８３】
図２は、図１の医療装置２０の本発明による第１の実施形態を示し、チューブシステム１７を接続するためのチューブシステム接続部２３を備える。医療装置２０内のアクチュエータ２２は、デジタル−アナログ測定変換器２４を有し、チューブシステム接続部２３に接続されている。アクチュエータ２２は、これに限定されるものではないが、ファンおよび／または酸素接続部と、弁と、特に加湿器（図示せず）とからなる。
【００８４】
医療装置２０は、計算システム３０と、記憶ユニット３２と、カスケード式調整構造３６とを含む制御装置２８を有する。制御装置２８において、計算システム３０、記憶ユニット３２およびカスケード式調整構造３６は、データの交換のために互いに接続されている。記憶ユニット３２は、ガス圧力データおよびガス流量データを記憶するテーブル３３を有する。制御装置２８は、データ交換のために流量調整器４０に接続された鼻ガス圧力Ｐnasalを調整するための圧力調整器３５を有する。圧力調整器３５は、アクチュエータ２２が一定の鼻ガス圧力Ｐnasalにガスを調整するように構成される。制御装置２８は、アクチュエータ２２のデジタル−アナログ測定変換器２４に電気的に接続された、鼻ガス流量Ｆnasalを調整するための流量調整器４０を有する。圧力調整器３５および流量調整器４０は、カスケード式調整構造３６によって互いに接続され、圧力調整器３５は外側カスケード（メジャーループ）を形成し、流量調整器４０は内側カスケード（マイナーループ）を形成する。
【００８５】
医療装置２０は、アクチュエータ２２によって指定または生成される内部ガス圧力Ｐintを測定するための内部圧力測定センサ３８を有する。これらは、アナログ−デジタル測定変換器３９を用いて圧力測定信号として制御装置２８に提供される。
【００８６】
医療装置２０は、アクチュエータ２２によって指定または生成される内部ガス流量Ｆintを測定するための流量測定センサ４１を有する。これらは、アナログ−デジタル測定変換器４２を用いて流量測定信号として制御装置２８に供給される。
【００８７】
医療装置２０上に入出力装置４５が配置され、この装置は、ガス圧力値および／またはガス流量値またはガス圧力データおよび／またはガス流量データを入力および表示するための表示ユニット４６およびタッチスクリーン４７を有する。入出力装置４５は、自動圧力調整と一定圧力調整との間で選択するための切り替え装置４８をさらに有する。入出力装置４５は、データ交換のために制御装置２８に接続されている。
【００８８】
医療装置２０は、測定装置または計量装置を接続するための接続ストリップ４９を有する。接続ストリップ４９は制御装置２８に接続されている。ここで、例えば、網羅的に列挙されていないが、二酸化炭素測定および／または酸素測定のような血液ガス測定のための測定装置、酸素接続部および弁を有する酸素計量装置を接続することができる（図示せず）。
【００８９】
図３に示す医療装置１２０は、本質的に、図２に関連して説明した医療装置２０に対応する。医療装置１２０は、鼻圧力測定値Ｐmesを取得するための圧力測定装置１６０が存在し、医療装置１２０が人工呼吸器であることが好ましい点で異なる。医療装置１２０は、図２に記載された構成要素およびそれらの技術的機能を有する制御装置１２８を有する。さらに、医療装置１２０は、図２に記載された構成要素およびそれらの技術的機能を有する入出力装置１４５を有する。
【００９０】
圧力測定装置１６０は接続ストリップ１４９に接続されている。圧力測定装置１６０によって測定された鼻圧力測定値Ｐmesは、アナログ−デジタル測定変換器１５０を用いて制御装置１２８に送信される。測定された鼻圧力測定値Ｐmesは、アクチュエータ１２２を調整するために、制御装置１２８の圧力調整器１３５において制御コマンドに変換される。制御装置１２８は、アクチュエータ１２２のデジタル−アナログ測定変換器１２４に電気的に接続された鼻ガス流量Ｆnasalを調整するための流量調整器１４０を有する。圧力調整器１３５および流量調整器１４０は、カスケード式調整構造１３６によって互いに接続され、圧力調整器１３５は外側カスケードを形成し、流量調整器１４０は内側カスケードを形成する。制御コマンドは、デジタル−アナログ測定変換器１２４によってアクチュエータ１２２に転送される。
【００９１】
図４は、図１および図２による医療装置２０において上述したアクチュエータ２２を動作させるための本発明による方法の第１の実施形態を示す。チューブシステム接続部２３は、最初に、チューブシステム１７のチューブ１８に接続され、鼻カニューレ１６は、チューブシステム１７上に提供または配置される（ステップ７０、ステップａ））。次に、鼻カニューレ１６が患者に配置されないことが確実にされる（ステップ７１）。これに続いて、チューブシステム１７を含む医療装置２０を調整するためのいくつかのステップが行われ、内部ガス流量Ｆintは、１０秒の期間内に０リットル／分から１００リットル／分に直線的に増加される（ステップ７２）。この間、内部ガス圧力値Ｐintおよび内部ガス流量値Ｆintは、内部圧力測定センサ３８および内部流量測定センサ４１によって測定され、制御装置２８に転送される。次に、それぞれの差圧近似値ｄＰschは、測定された内部ガス圧力または測定された内部ガス圧力値Ｐintに基づいて、および、圧力近似値Ｐnに基づいて、計算システム３０内で計算され、ここで、式
【数３】
2021534945.tif 000005
であり、Ｐn＝０、ｄＰsch＝Ｐintである。
【００９２】
したがって、複数の内部ガス圧力測定値Ｐintは、チューブシステム１７内の差圧近似値ｄＰschに対応する。これらは、関連する測定された内部ガス流量値Ｆintと共に記憶ユニット３２のテーブル３３に記憶され（ステップ７３）、医療装置２０は、接続されたチューブシステムで調整される。
【００９３】
代替的に、調整のために、それぞれの差圧近似値ｄＰschは、数学的関数、例えば、式
【数４】
2021534945.tif 000006
のような多項式関数を用いて計算することができる。次に、最小二乗法を用いて定数Ｒ0、Ｒ1、…が決定される。内部ガス流量Ｆintに基づいて差圧近似値ｄＰschを決定するためのさらなる関数は、網羅的に列挙されていない線形関数または二次関数である。
【００９４】
さらなるステップ（ステップ７４）において、チューブシステム１７を通る平均最大ガス流量Ｆmaxは、１００リットル／分に指定される。
【００９５】
次に、患者の理想体重（ＩＢＷ）（または患者の体格および性別）と、酸素濃度ＦｉＯ２とが、医療装置１２０において入出力装置４５で指定され、測定された有効な内部最大ガス流量Ｆint,maxと、呼気時間Ｔeとが計算システム３０内で計算される（ステップ７５）。
【００９６】
さらに、デッドスペースＶdは、理想体重（ＩＢＷ）およびＲａｄｆｏｒｄ定数を用いて計算され、Ｒａｄｆｏｒｄ定数は、典型的には２．２ｍｌ／ｋｇ（Ｖd＝２．２ｍｌ／ｋｇ×ＩＢＷ）である（ステップ７６）。
【００９７】
次に、それぞれの圧力近似値Ｐnが、計算システム３０において、測定された内部ガス圧力測定値Ｐintと、テーブル３３に記憶された差圧近似値ｄＰschとを用いて決定され、差圧近似値ｄＰschは、測定された内部ガス流量Ｆintを用いて決定される（ステップ７７）。
【００９８】
次に、チューブシステムを通る最小ガス流量Ｆminが決定される（ステップ７８）。
【００９９】
最小ガス流量Ｆminは、計算システム３０において、式
【数５】
2021534945.tif 000007
を用いて計算され、ここで、Ｖdは、予め決定されたデッドスペースであり、ｋは０．３３であり、Ｔeは、予め計算された呼気時間である。
【０１００】
さらなるステップ（ステップ７９）において、鼻最終ガス圧力ＰnSetが自動的にオンに指定されるべきかどうかに関する問い合わせが医療装置２０において行われる。問い合わせは、医療装置２０上の切り替え装置４８の位置に基づいて、または、制御装置２８内で指定された設定を介して行われる。
【０１０１】
鼻最終ガス圧力ＰnSetの非自動判定の場合には、ユーザが手動で指定した鼻最終ガス圧力ＰnSetを医療装置２０の入出力装置４５から読み込む（ステップ８０、ステップｂ））。
【０１０２】
次いで、最終ガス流量ＦnSetは、指定された鼻最終ガス圧力ＰnSetと予め決定された圧力近似値Ｐnとの間の差に応じて決定され、その結果、上述の差は、式
【数６】
2021534945.tif 000008
となるようにＦnSetを計算することによって０（ゼロ調整）に変換され、それによって、鼻ガス圧力Ｐnasalは、鼻最終ガス圧力ＰnSetに向かって調整される（ステップ８１、ステップｃ））。したがって、圧力調整器３５が、カスケード式調整構造の外側カスケードとして最初に実行される。
【０１０３】
さらに、ステップ８１で決定された最終ガス流量ＦnSetは、予め決定された平均最大ガス流量Ｆmaxに従って上方に制限され、予め決定された最小ガス流量Ｆminに従って下方に制限される（ステップ８２）。
【０１０４】
直接上述したステップ（ステップ８０〜８２）の代わりに、鼻最終ガス圧力ＰnSetを自動的に決定して、測定された有効な内部最小ガス流量Ｆint,minを決定し（ステップ８３）、また、計算された最小ガス流量Ｆminが、決定された測定された有効な内部最小ガス流量Ｆint,minよりも小さいかどうかを問い合わせる（ステップ８４）。
【０１０５】
計算された最小ガス流量Ｆminが、決定された測定された有効な内部最小ガス流量Ｆint,minよりも小さい場合、制御装置２８は、鼻最終ガス圧力ＰnSetを減少させ、それを指定する（ステップ８５、ステップｂ））。
【０１０６】
計算された最小ガス流量Ｆminが、決定された測定された有効な内部最小ガス流量Ｆint,minよりも大きい場合、制御装置２８は、鼻最終ガス圧力ＰnSetを増加させ、それを指定する（ステップ８６、ステップｂ））。
【０１０７】
両方の場合において、鼻最終ガス圧力ＰnSetは、０ｍｂａｒ〜１０ｍｂａｒの値に制限される（ステップ８７）。
【０１０８】
続いて、ステップ８８において、圧力調整が、カスケード式調整構造の外側カスケードとして実行される。
【０１０９】
最終ガス流量ＦnSetは、予め決定された平均最大ガス流量Ｆmaxに従って上方に制限され、値ゼロまで下方に制限される（ステップ８９）。
【０１１０】
次に、測定された内部ガス流量Ｆintは、流量調整器４０を用いて、続いてアクチュエータ２２を用いて、計算された最終ガス流量ＦnSetに向かって調整される（ステップ９０）。換言すれば、ゼロ調整は式
【数７】
2021534945.tif 000009
に従って行われ、その結果、鼻ガス流量Ｆnasalは、計算された最終ガス流量ＦnSetに向かって調整される。したがって、流量調整は、カスケード式調整構造の内側カスケードとして実行される。
【０１１１】
次に、制御装置２８は、ステップ９０に基づいてアクチュエータ２２のための適切な制御コマンドを生成し、これをアクチュエータ２２に転送し、その結果、アクチュエータ２２は、調整されたガスをチューブシステムに送出する（ステップ９１、ステップｄ））。
【０１１２】
その後、ステップ７５〜８２およびステップ８９〜９１を数回実行することができる。
【０１１３】
代替的に、ステップ７５〜７９およびステップ８３〜９１を数回実行することができる。
【０１１４】
図５は、図１に係る医療装置２０および図３に係る医療装置１２０において前述したアクチュエータ１２２を動作させるための本発明の方法のさらなる実施形態を示し、医療装置１２０は、圧力測定値Ｐmesを取得するように設計された圧力測定装置１６０を有するか、またはそれに接続されている。
【０１１５】
第１のステップ（ステップ１７０）において、チューブシステムを通る平均最大ガス流量Ｆmaxは、１００リットル／分に指定される。
【０１１６】
次に、患者の理想体重（ＩＢＷ）（または患者の体格および性別）と、酸素濃度（ＦｉＯ２）とが、医療装置１２０において指定され、測定された有効な内部最大ガス流量Ｆint,maxと、呼気時間Ｔeとが計算される（ステップ１７１）。
【０１１７】
さらに、デッドスペースＶdは、理想体重（ＩＢＷ）およびＲａｄｆｏｒｄ定数を用いて計算され、Ｒａｄｆｏｒｄ定数は、典型的には２．２ｍｌ／ｋｇ（Ｖd＝２．２ｍｌ／ｋｇ×ＩＢＷ）である（ステップ１７２）。
【０１１８】
次に、チューブシステムを通る最小ガス流量Ｆminが決定される（ステップ１７３）。
【０１１９】
最小ガス流量Ｆminは、計算システムにおいて、式
【数８】
2021534945.tif 000010
を用いて計算され、ここで、Ｖdは、予め決定されたデッドスペースであり、ｋは０．３３であり、Ｔeは、予め計算された呼気時間である。
【０１２０】
続いて、ユーザが手動で指定した鼻最終ガス圧力ＰnSetを医療装置１２０の入出力装置１４５から読み込む（ステップ１７４、ｂ））。
【０１２１】
次いで、鼻圧力測定値（Ｐmes）が圧力測定装置１６０で測定され、アナログ−デジタル測定変換器１５０を介して制御装置１２８の圧力調整器１３５に転送される（ステップ１７５）。
【０１２２】
次いで、最終ガス流量ＦnSetは、指定された第１の鼻最終ガス圧力ＰnSetと予め測定された鼻圧力測定値Ｐmesとの間の差に応じて決定され、その結果、上述の差は、式
【数９】
2021534945.tif 000011
となるようにＦnSetを計算することによって０（ゼロ調整）に変換され、それによって、鼻ガス圧力Ｐmesは、第１の鼻最終ガス圧力ＰnSetに向かって調整される（ステップ１７６、ステップｃ））。したがって、圧力調整が、カスケード式調整構造の外側カスケードとして最初に実行される。
【０１２３】
さらに、ステップ１７６で決定された最終ガス流量ＦnSetは、予め決定された平均最大ガス流量Ｆmaxに従って上方に制限され、予め決定された最小ガス流量Ｆminに従って下方に制限される（ステップ１７７）。
【０１２４】
次に、測定された内部ガス流量Ｆintは、アクチュエータ１２２を用いて、計算された最終ガス流量ＦnSetに向かって調整される（ステップ１７８）。換言すれば、ゼロ調整は、式
【数１０】
2021534945.tif 000012
に従って行われ、その結果、鼻ガス流量Ｆnasalは、計算された最終ガス流量ＦnSetに向かって調整される。したがって、流量調整は、カスケード式調整構造の内側カスケードとして実行される。
【０１２５】
次に、制御装置１２８は、ステップ１７８に基づいてアクチュエータ１２２のための適切な制御コマンドを作成し、これをアクチュエータ２２に転送し、その結果、アクチュエータ２２は、調整されたガスをチューブシステムに送出する（ステップ１７９、ステップｄ）。
【０１２６】
その後、ステップ１７０〜１７９を数回実行することができる。
【符号の説明】
【０１２７】
１５    システム
１６    鼻カニューレ
１７    チューブシステム
１８    チューブ
１９    加湿器
２０    医療装置
２２    アクチュエータ
２３    チューブシステム接続部
２４    ２２のデジタル−アナログ測定変換器
２８    制御装置
３０    計算システム
３２    記憶ユニット
３３    テーブル
３５    圧力調整器
３６    カスケード式調整構造
３８    内部圧力測定センサ
３９    アナログ−デジタル測定変換器
４０    流量調整器
４１    内部流量測定センサ
４２    ４１のアナログ−デジタル測定変換器
４５    入出力装置
４６    表示ユニット
４７    タッチスクリーン
４８    切り替え装置
４９    接続ストリップ
１２０    医療装置
１２２    アクチュエータ
１２４    １２２のデジタル−アナログ測定変換器
１２８    制御装置
１３５    圧力調整器
１３６    カスケード式調整構造
１４５    入出力装置
１４０    流量調整器
１４９    接続ストリップ
１５０    アナログ−デジタル測定変換器
１６０    圧力測定装置
７０−９１    ステップ
１７０−１７９    ステップ
ＰnSet    第１の鼻最終ガス圧力
Ｐnasal    鼻ガス圧力
Ｐmes    圧力測定値
Ｐn    圧力近似値
ｄＰsch    第１の差圧近似値
Ｐint    第１の内部圧力測定値
Ｆmin    最小ガス流量
Ｆnasal    鼻ガス流量
Ｆmax    平均最大ガス流量
Ｆint,max    有効な内部最大ガス流量
Ｆint    内部ガス流量
Ｆint,min    内部最小ガス流量
ＦnSet    鼻最終ガス流量
【図１】
2021534945.tif 000014
【図２】
2021534945.tif 000015
【図３】
2021534945.tif 000016
【図４】
2021534945.tif 000017
【図５】
2021534945.tif 000018
【国際調査報告】
2021534945.tif 000019
2021534945.tif 000020
2021534945.tif 000021
2021534945.tif 000022
2021534945.tif 000023
2021534945.tif 000024
2021534945.tif 000025
2021534945.tif 000026
2021534945.tif 000027